(57)【要約】  複数のセッション設定方法およびこれを用いたデータ送受信方法が開示される。  本発明の好ましい一実施形態によれば、データの属性情報を含むデータの少なくとも一部を初期セッションを通して受信して、データの属性情報を利用してデータを受信するための追加セッションの数を演算して、演算された追加セッションの数だけ追加セッションを設定する。本発明によれば、通信網の構成がますます複雑になることによって多様で複雑な通信網の状態をセッション設定に反映でき、より効果的に通信網の状態に応じたセッション設定が可能であり、より効果的にデータの送受信がなされる長所がある。
2013504923.tif 000002
【特許請求の範囲】
【請求項１】
データを送信する送信ノード（ｎｏｄｅ）および前記データを受信する受信ノードを含むネットワークで前記受信ノードで遂行されうるセッション設定方法であって、
前記データの属性情報を含む前記データの少なくとも一部を初期セッション（ｓｅｓｓｉｏｎ）を通して受信するステップ；
前記データの属性情報を利用して前記データを受信するための追加セッションの数を演算するステップ；および
前記演算された追加セッションの数だけ追加セッションを設定するステップ；を含むセッション設定方法。
【請求項２】
データを送信する送信ノード（ｎｏｄｅ）および前記データを受信する受信ノードを含むネットワークで前記送信ノードで遂行されうるセッション設定方法であって、
前記受信ノードと初期セッション（ｓｅｓｓｉｏｎ）を設定するステップ；
前記受信ノードに送信する前記データの属性情報を利用して前記データを送信するための追加セッションの数を演算するステップ；および
前記演算された追加セッションの数だけ追加セッションを設定するステップ；を含むセッション設定方法。
【請求項３】
前記データの属性情報は前記データの大きさ、前記データのファイルの種類および前記データのサービス方法のうちの少なくとも一つであることを特徴とする請求項１または２に記載のセッション設定方法。
【請求項４】
前記データを送信または受信するための追加セッションの数を演算することは、
前記送信ノードおよび前記受信ノードの利用可能な送受信帯域幅情報、送受信品質情報のうちの少なくとも一つをさらに利用して遂行されうることを特徴とする請求項１または２に記載のセッション設定方法。
【請求項５】
前記受信ノードは複数の送信ノードから前記データを受信し、
前記データを送信または受信するための追加セッションの数を演算することは、
前記複数の送信ノードと前記受信ノードとの間のデータ伝送情報をさらに利用して遂行されうることを特徴とする請求項１または２に記載のセッション設定方法。
【請求項６】
データを送信する送信ノード（ｎｏｄｅ）、前記データを受信する受信ノードおよび前記受信ノードが前記データを送信する第３ノードを含むネットワークで前記受信ノードで遂行されうるセッション設定方法であって、
前記データの少なくとも一部を初期セッション（ｓｅｓｓｉｏｎ）を通して受信するステップ；
前記受信ノードから前記第３ノードへの送信速度を利用して前記データを前記送信ノードから受信するための追加セッションの数を演算するステップ；および
前記演算された追加セッションの数だけ追加セッションを設定するステップ；を含むセッション設定方法。
【請求項７】
データを送信する送信ノード（ｎｏｄｅ）、前記データを受信する受信ノードおよび前記受信ノードが前記データを送信する第３ノードを含むネットワークで前記送信ノードで遂行されうるセッション設定方法であって、
前記受信ノードと初期セッション（ｓｅｓｓｉｏｎ）を設定するステップ；
前記受信ノードから前記第３ノードへの送信速度を利用して前記データを送信するための追加セッションの数を演算するステップ；および
前記演算された追加セッションの数だけ追加セッションを設定するステップ；を含むセッション設定方法。
【請求項８】
前記データを送信または受信するための追加セッションの数を演算することは、
前記受信ノードおよび前記第３ノードの利用可能な送受信帯域幅情報、送受信品質情報および前記データの属性情報のうちの少なくとも一つをさらに利用して遂行されうることを特徴とする請求項６または７に記載のセッション設定方法。
【請求項９】
前記受信ノードは複数の送信ノードから前記データを受信し、
前記データを送信または受信するための追加セッションの数を演算することは、
前記複数の送信ノードと前記受信ノードとの間のデータ伝送情報をさらに利用して遂行されうることを特徴とする請求項６または７に記載のセッション設定方法。
【請求項１０】
データを送信する送信ノード（ｎｏｄｅ）および前記データを受信する受信ノードを含む複数のノードで構成されるネットワークでの前記受信ノードであって、
前記送信ノードとのセッション（ｓｅｓｓｉｏｎ）を設定するセッション設定部；および
前記セッション設定部で設定されたセッションを通してデータを送受信するデータ送受信部を含み、
前記データ送受信部は前記データの属性情報を含む前記データの少なくとも一部を前記セッション設定部で設定した初期セッション（ｓｅｓｓｉｏｎ）を通して受信し、
前記受信ノードは前記データ送受信部で受信された前記データの属性情報を利用して前記データを受信するための追加セッションの数を演算する追加セッション演算部をさらに含み、
前記セッション設定部は前記追加セッション演算部で演算された追加セッションの数だけ前記送信ノードとの追加セッションを設定することを特徴とする受信ノード。
【請求項１１】
データを送信する送信ノード（ｎｏｄｅ）および前記データを受信する受信ノードを含む複数のノードで構成されるネットワークでの前記送信ノードであって、
前記受信ノードとのセッション（ｓｅｓｓｉｏｎ）を設定するセッション設定部；および
前記セッション設定部で設定されたセッションを通してデータを送受信するデータ送受信部を含み、
前記送信ノードは前記データ送受信部で送信する前記データの属性情報を利用して前記データを送信するための追加セッションの数を演算する追加セッション演算部をさらに含み、
前記セッション設定部は前記追加セッション演算部で演算された追加セッションの数だけ前記受信ノードとの追加セッションを設定することを特徴とする送信ノード。
【請求項１２】
前記データの属性情報は前記データの大きさ、前記データのファイルの種類および前記データのサービス方法のうちの少なくとも一つであることを特徴とする請求項１０に記載の受信ノードおよび請求項１１に記載の送信ノードを含む送受信ノード。
【請求項１３】
前記追加セッション演算部で前記データを送信または受信するための追加セッションの数を演算することは、
前記送信ノードおよび前記受信ノードの利用可能な送受信帯域幅情報、送受信品質情報のうちの少なくとも一つをさらに利用して遂行されうることを特徴とする請求項１０に記載の受信ノードおよび請求項１１に記載の送信ノードを含む送受信ノード。
【請求項１４】
前記受信ノードは複数の送信ノードから前記データを受信し、
前記追加セッション演算部で前記データを送信または受信するための追加セッションの数を演算することは、
前記複数の送信ノードと前記受信ノードとの間のデータ伝送情報をさらに利用して遂行されうることを特徴とする請求項１０に記載の受信ノードおよび請求項１１に記載の送信ノードを含む送受信ノード。
【請求項１５】
データを送信する送信ノード（ｎｏｄｅ）、前記データを受信する受信ノードおよび前記受信ノードが前記データを送信する第３ノードを含むネットワークでの前記受信ノードであって、
前記送信ノードとのセッション（ｓｅｓｓｉｏｎ）を設定するセッション設定部；および
前記セッション設定部で設定されたセッションを通してデータを送受信するデータ送受信部を含み、
前記データ送受信部は前記データの少なくとも一部を初期セッション（ｓｅｓｓｉｏｎ）を通して受信し、
前記受信ノードは前記第３ノードへの送信速度を利用して前記データの残りを前記送信ノードから受信するための追加セッションの数を演算する追加セッション演算部をさらに含み、
前記セッション設定部は前記追加セッション演算部で演算された追加セッションの数だけ前記送信ノードとの追加セッションを設定することを特徴とする受信ノード。
【請求項１６】
データを送信する送信ノード（ｎｏｄｅ）、前記データを受信する受信ノードおよび前記受信ノードが前記データを送信する第３ノードを含むネットワークでの前記送信ノードであって、
前記受信ノードとのセッション（ｓｅｓｓｉｏｎ）を設定するセッション設定部；および
前記セッション設定部で設定されたセッションを通してデータを送受信するデータ送受信部を含み、
前記送信ノードは前記受信ノードから前記第３ノードへの送信速度を利用して前記データの残りを送信するための追加セッションの数を演算する追加セッション演算部をさらに含み、
前記セッション設定部は前記追加セッション演算部で演算された追加セッションの数だけ前記受信ノードとの追加セッションを設定することを特徴とする送信ノード。
【請求項１７】
前記追加セッション演算部で前記データを送信または受信するための追加セッションの数を演算することは、
前記受信ノードおよび前記第３ノードの利用可能な送受信帯域幅情報、送受信品質情報および前記データの属性情報のうちの少なくとも一つをさらに利用して遂行されうることを特徴とする請求項１５に記載の受信ノードおよび請求項１６に記載の送信ノードを含む送受信ノード。
【請求項１８】
前記受信ノードは複数の送信ノードから前記データを受信し、
前記追加セッション演算部で前記データを送信または受信するための追加セッションの数を演算することは、
前記複数の送信ノードと前記受信ノードとの間のデータ伝送情報をさらに利用して遂行されうることを特徴とする請求項１５に記載の受信ノードおよび請求項１６に記載の送信ノードを含む送受信ノード。
【請求項１９】
データを送信する送信ノード（ｎｏｄｅ）および前記データを受信する受信ノードを含むネットワークで前記受信ノードで遂行されうるセッション設定方法を具現するためのプログラムを記録した記録媒体であって、
前記データの属性情報を含む前記データの少なくとも一部を初期セッション（ｓｅｓｓｉｏｎ）を通して受信するステップ；
前記データの属性情報を利用して前記データを受信するための追加セッションの数を演算するステップ；および
前記演算された追加セッションの数だけ追加セッションを設定するステップ；を含むセッション設定方法を具現するためのプログラムを記録した記録媒体。
【請求項２０】
データを送信する送信ノード（ｎｏｄｅ）および前記データを受信する受信ノードを含むネットワークで前記送信ノードで遂行されうるセッション設定方法を具現するためのプログラムを記録した記録媒体であって、
前記受信ノードと初期セッション（ｓｅｓｓｉｏｎ）を設定するステップ；
前記受信ノードに送信する前記データの属性情報を利用して前記データを送信するための追加セッションの数を演算するステップ；および
前記演算された追加セッションの数だけ追加セッションを設定するステップ；を含むセッション設定方法を具現するためのプログラムを記録した記録媒体。
【請求項２１】
データを送信する送信ノード（ｎｏｄｅ）、前記データを受信する受信ノードおよび前記受信ノードが前記データを送信する第３ノードを含むネットワークで前記受信ノードで遂行されうるセッション設定方法を具現するためのプログラムを記録した記録媒体であって、
前記データの少なくとも一部を初期セッション（ｓｅｓｓｉｏｎ）を通して受信するステップ；
前記受信ノードから前記第３ノードへの送信速度を利用して前記データを前記送信ノードから受信するための追加セッションの数を演算するステップ；および
前記演算された追加セッションの数だけ追加セッションを設定するステップ；を含むセッション設定方法を具現するためのプログラムを記録した記録媒体。
【請求項２２】
データを送信する送信ノード（ｎｏｄｅ）、前記データを受信する受信ノードおよび前記受信ノードが前記データを送信する第３ノードを含むネットワークで前記送信ノードで遂行されうるセッション設定方法を具現するためのプログラムを記録した記録媒体であって、
前記受信ノードと初期セッション（ｓｅｓｓｉｏｎ）を設定するステップ；
前記受信ノードから前記第３ノードへの送信速度を利用して前記データを受信するための追加セッションの数を演算するステップ；および
前記演算された追加セッションの数だけ追加セッションを設定するステップ；を含むセッション設定方法を具現するためのプログラムを記録した記録媒体。
【発明の詳細な説明】
【技術分野】
【０００１】
本発明は、複数のセッション設定方法およびこれを用いるノードに関し、より詳しくは、通信網を通してデータを送受信する場合、ノード間の複数のセッションを設定する方法および設定されたセッションを利用してデータを送受信できるノードに関する。
【背景技術】
【０００２】
最近コンピュータなどのデジタル処理装置の発達と通信網の発達で、通信網を通して多くのデータをやり取りしている。
【０００３】
通信網は数多くの装置と通信回線などが互いに連結するようになって構成され、このような通信網を通してデータを送受信する場合、データを送信する送信装置からデータを受信する受信装置にどれだけ速く正確にデータが送信されるか否かが重要である。
【０００４】
このようなデータの送信はノードとノードとの間の連結であるセッション（ｓｅｓｓｉｏｎ）を通してなされるようになる。
【０００５】
ノード（ｎｏｄｅ）とは、ネットワークでの連結点を意味するもので、データ送受信の再分配点または終点をいい、各種サーバ（ｓｅｒｖｅｒ）、ハブ（ｈｕｂ）、ルータ（ｒｏｕｔｅｒ）、スイッチ（ｓｗｉｔｃｈ）、クライアント（ｃｌｉｅｎｔ）等のネットワーク上に存在する多様な装置が該当しうる。
【０００６】
一方、データを送信する送信ノードとデータを受信する受信ノードとの間にはデータ送受信に必要な多様な情報が行き来する連結であるセッション（ｓｅｓｓｉｏｎ）が必要であり、このようなセッションは一つのセッションが設定されるのが一般的であるが、必要な場合、複数のセッションが設定されたりもする。
【０００７】
従来のセッション設定は単純に送信ノードと受信ノードとの間にあらかじめ設定されたセッション数に応じてセッションを設定した。
【０００８】
しかし通信網の構成が複雑になることによってデータを受信したノードから再び他のノードにデータを送信する場合が大部分であるため、このような場合、従来のセッション設定方法ではより効果的なデータの送受信がなされない問題点がある。
【０００９】
したがって、通信網の構成がますます複雑になることによって多様で複雑な通信網の状態を反映できるセッションの設定方法およびこれを用いたデータ送受信方法が要求される。
【発明の概要】
【発明が解決しようとする課題】
【００１０】
上記のような従来の問題点を解決するために、本発明は、通信網の構成がますます複雑になることによって多様で複雑な通信網の状態を反映できるセッションの設定方法およびこれを用いたデータ送受信方法を提案するものである。
【００１１】
また、より効果的に通信網の状態に応じたセッション設定を可能にするセッションの設定方法およびこれを用いたデータ送受信方法を提案するものである。
【００１２】
本発明のまた他の目的は、以下の実施形態に関する説明を通して、容易に理解できるだろう。
【課題を解決するための手段】
【００１３】
上述したような目的を達成するために、本発明の一側面によれば、セッション設定方法が提供される。
【００１４】
本発明の好ましい一実施形態によれば、データを送信する送信ノード（ｎｏｄｅ）および前記データを受信する受信ノードを含むネットワークで前記受信ノードで遂行されうるセッション設定方法であって、前記データの属性情報を含む前記データの少なくとも一部を初期セッション（ｓｅｓｓｉｏｎ）を通して受信するステップ；前記データの属性情報を利用して前記データを受信するための追加セッションの数を演算するステップ；および前記演算された追加セッションの数だけ追加セッションを設定するステップ；を含むセッション設定方法が提供される。
【００１５】
前記データの属性情報は、前記データの大きさ、前記データのファイルの種類および前記データのサービス方法のうちの少なくとも一つでありうる。
【００１６】
前記データを受信するための追加セッションの数を演算することは、前記送信ノードおよび前記受信ノードの利用可能な送受信帯域幅、送受信品質のうちの少なくとも一つをさらに利用して遂行されうる。
【００１７】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【００１８】
本発明の好ましい他の一実施形態によれば、データを送信する送信ノード（ｎｏｄｅ）および前記データを受信する受信ノードを含むネットワークで前記送信ノードで遂行されうるセッション設定方法であって、前記受信ノードと初期セッション（ｓｅｓｓｉｏｎ）を設定するステップ；前記受信ノードに送信する前記データの属性情報を利用して前記データを送信するための追加セッションの数を演算するステップ；および前記演算された追加セッションの数だけ追加セッションを設定するステップ；を含むセッション設定方法が提供される。
【００１９】
前記データの属性情報は前記データの大きさ、前記データのファイルの種類および前記データのサービス方法のうちの少なくとも一つでありうる。
【００２０】
前記データを送信するための追加セッションの数を演算することは、前記送信ノードおよび前記受信ノードの利用可能な送受信帯域幅、送受信品質のうちの少なくとも一つをさらに利用して遂行されうる。
【００２１】
前記受信ノードは複数の送信ノードから前記データを受信し、前記データを送信するための追加セッションの数を演算することは、前記複数の送信ノードと前記受信ノードとの間のデータ伝送情報をさらに利用して遂行されうる。
【００２２】
本発明の好ましいまた他の一実施形態によれば、データを送信する送信ノード（ｎｏｄｅ）、前記データを受信する受信ノードおよび前記受信ノードが前記データを送信する第３ノードを含むネットワークで前記受信ノードで遂行されうるセッション設定方法であって、前記データの少なくとも一部を初期セッション（ｓｅｓｓｉｏｎ）を通して受信するステップ；前記受信ノードから前記第３ノードへの送信速度を利用して前記データを前記送信ノードから受信するための追加セッションの数を演算するステップ；および前記演算された追加セッションの数だけ追加セッションを設定するステップ；を含むセッション設定方法が提供される。
【００２３】
前記データを受信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００２４】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【００２５】
本発明の好ましいまた他の一実施形態によれば、データを送信する送信ノード（ｎｏｄｅ）、前記データを受信する受信ノードおよび前記受信ノードが前記データを送信する第３ノードを含むネットワークで前記送信ノードで遂行されうるセッション設定方法であって、前記受信ノードと初期セッション（ｓｅｓｓｉｏｎ）を設定するステップ；前記受信ノードから前記第３ノードへの送信速度を利用して前記データを受信するための追加セッションの数を演算するステップ；および前記演算された追加セッションの数だけ追加セッションを設定するステップ；を含むセッション設定方法が提供される。
【００２６】
前記データを受信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００２７】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【００２８】
本発明の他の一側面によれば、送受信ノードが提供される。
【００２９】
本発明の好ましい一実施形態によれば、データを送信する送信ノード（ｎｏｄｅ）および前記データを受信する受信ノードを含む複数のノードで構成されるネットワークでの前記受信ノードであって、前記送信ノードとのセッション（ｓｅｓｓｉｏｎ）を設定するセッション設定部；および前記セッション設定部で設定されたセッションを通してデータを送受信するデータ送受信部を含み、前記データ送受信部は前記データの属性情報を含む前記データの少なくとも一部を前記セッション設定部で設定した初期セッション（ｓｅｓｓｉｏｎ）を通して受信し、前記受信ノードは前記データ送受信部で受信された前記データの属性情報を利用して前記データを受信するための追加セッションの数を演算する追加セッション演算部をさらに含み、前記セッション設定部は前記追加セッション演算部で演算された追加セッションの数だけ前記送信ノードとの追加セッションを設定することを特徴とする受信ノードが提供される。
【００３０】
前記データの属性情報は、前記データの大きさ、前記データのファイルの種類および前記データのサービス方法のうちの少なくとも一つでありうる。
【００３１】
前記追加セッション演算部で前記データを受信するための追加セッションの数を演算することは、前記送信ノードおよび前記受信ノードの利用可能な送受信帯域幅、送受信品質のうちの少なくとも一つをさらに利用して遂行されうる。
【００３２】
前記受信ノードは複数の送信ノードから前記データを受信して、前記追加セッション演算部で前記データを受信するための追加セッションの数を演算することは、前記複数の送信ノードと前記受信ノードとの間のデータ伝送情報をさらに利用して遂行されうる。
【００３３】
本発明の好ましい他の一実施形態によれば、データを送信する送信ノード（ｎｏｄｅ）および前記データを受信する受信ノードを含む複数のノードで構成されるネットワークでの前記送信ノードであって、前記受信ノードとのセッション（ｓｅｓｓｉｏｎ）を設定するセッション設定部；および前記セッション設定部で設定されたセッションを通してデータを送受信するデータ送受信部を含み、前記送信ノードは前記データ送受信部で送信する前記データの属性情報を利用して前記データを送信するための追加セッションの数を演算する追加セッション演算部をさらに含み、前記セッション設定部は前記追加セッション演算部で演算された追加セッションの数だけ前記受信ノードとの追加セッションを設定することを特徴とする送信ノードが提供される。
【００３４】
前記データの属性情報は、前記データの大きさ、前記データのファイルの種類および前記データのサービス方法のうちの少なくとも一つでありうる。
【００３５】
前記追加セッション演算部で前記データを送信するための追加セッションの数を演算することは、前記送信ノードおよび前記受信ノードの利用可能な送受信帯域幅、送受信品質のうちの少なくとも一つをさらに利用して遂行されうる。
【００３６】
前記受信ノードは複数の送信ノードから前記データを受信し、前記追加セッション演算部で前記データを送信するための追加セッションの数を演算することは、前記複数の送信ノードと前記受信ノードとの間のデータ伝送情報をさらに利用して遂行されうる。
【００３７】
本発明の好ましいまた他の一実施形態によれば、データを送信する送信ノード（ｎｏｄｅ）、前記データを受信する受信ノードおよび前記受信ノードが前記データを送信する第３ノードを含むネットワークでの前記受信ノードであって、前記送信ノードとのセッション（ｓｅｓｓｉｏｎ）を設定するセッション設定部；および前記セッション設定部で設定されたセッションを通してデータを送受信するデータ送受信部を含み、前記データ送受信部は前記データの少なくとも一部を初期セッション（ｓｅｓｓｉｏｎ）を通して受信し、前記受信ノードは前記第３ノードへの送信速度を利用して前記データの残りを前記送信ノードから受信するための追加セッションの数を演算する追加セッション演算部をさらに含み、前記セッション設定部は前記追加セッション演算部で演算された追加セッションの数だけ前記送信ノードとの追加セッションを設定することを特徴とする受信ノードが提供される。
【００３８】
前記追加セッション演算部で前記データを受信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００３９】
前記受信ノードは複数の送信ノードから前記データを受信し、前記追加セッション演算部で前記データを受信するための追加セッションの数を演算することは、前記複数の送信ノードと前記受信ノードとの間のデータ伝送情報をさらに利用して遂行されうる。
【００４０】
本発明の好ましいまた他の一実施形態によれば、データを送信する送信ノード（ｎｏｄｅ）、前記データを受信する受信ノードおよび前記受信ノードが前記データを送信する第３ノードを含むネットワークでの前記送信ノードであって、前記受信ノードとのセッション（ｓｅｓｓｉｏｎ）を設定するセッション設定部；および前記セッション設定部で設定されたセッションを通してデータを送受信するデータ送受信部を含み、前記送信ノードは前記受信ノードから前記第３ノードへの送信速度を利用して前記データの残りを送信するための追加セッションの数を演算する追加セッション演算部をさらに含み、前記セッション設定部は前記追加セッション演算部で演算された追加セッションの数だけ前記受信ノードとの追加セッションを設定することを特徴とする送信ノードが提供される。
【００４１】
前記追加セッション演算部で前記データを送信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００４２】
前記受信ノードは複数の送信ノードから前記データを受信し、前記追加セッション演算部で前記データを送信するための追加セッションの数を演算することは、前記複数の送信ノードと前記受信ノードとの間のデータ伝送情報をさらに利用して遂行されうる。
【００４３】
本発明の一側面によれば、セッション設定方法を具現するためのプログラムを記録した記録媒体が提供される。
【００４４】
本発明の好ましい一実施形態によれば、データを送信する送信ノード（ｎｏｄｅ）および前記データを受信する受信ノードを含むネットワークで前記受信ノードで遂行されうるセッション設定方法を具現するためのプログラムを記録した記録媒体であって、前記データの属性情報を含む前記データの少なくとも一部を初期セッション（ｓｅｓｓｉｏｎ）を通して受信するステップ；前記データの属性情報を利用して前記データを受信するための追加セッションの数を演算するステップ；および前記演算された追加セッションの数だけ追加セッションを設定するステップ；を含むセッション設定方法を具現するためのプログラムを記録した記録媒体が提供される。
【００４５】
前記データの属性情報は、前記データの大きさ、前記データのファイルの種類および前記データのサービス方法のうちの少なくとも一つでありうる。
【００４６】
前記データを受信するための追加セッションの数を演算することは、前記送信ノードおよび前記受信ノードの利用可能な送受信帯域幅、送受信品質のうちの少なくとも一つをさらに利用して遂行されうる。
【００４７】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【００４８】
本発明の好ましい他の一実施形態によれば、データを送信する送信ノード（ｎｏｄｅ）および前記データを受信する受信ノードを含むネットワークで前記送信ノードで遂行されうるセッション設定方法を具現するためのプログラムを記録した記録媒体であって、前記受信ノードと初期セッション（ｓｅｓｓｉｏｎ）を設定するステップ；前記受信ノードに送信する前記データの属性情報を利用して前記データを送信するための追加セッションの数を演算するステップ；および前記演算された追加セッションの数だけ追加セッションを設定するステップ；を含むセッション設定方法を具現するためのプログラムを記録した記録媒体が提供される。
【００４９】
前記データの属性情報は、前記データの大きさ、前記データのファイルの種類および前記データのサービス方法のうちの少なくとも一つでありうる。
【００５０】
前記データを送信するための追加セッションの数を演算することは、前記送信ノードおよび前記受信ノードの利用可能な送受信帯域幅、送受信品質のうちの少なくとも一つをさらに利用して遂行されうる。
【００５１】
前記受信ノードは複数の送信ノードから前記データを受信し、前記データを送信するための追加セッションの数を演算することは、前記複数の送信ノードと前記受信ノードとの間のデータ伝送情報をさらに利用して遂行されうる。
【００５２】
本発明の好ましいまた他の一実施形態によれば、データを送信する送信ノード（ｎｏｄｅ）、前記データを受信する受信ノードおよび前記受信ノードが前記データを送信する第３ノードを含むネットワークで前記受信ノードで遂行されうるセッション設定方法を具現するためのプログラムを記録した記録媒体であって、前記データの少なくとも一部を初期セッション（ｓｅｓｓｉｏｎ）を通して受信するステップ；前記受信ノードから前記第３ノードへの送信速度を利用して前記データを前記送信ノードから受信するための追加セッションの数を演算するステップ；および前記演算された追加セッションの数だけ追加セッションを設定するステップ；を含むセッション設定方法を具現するためのプログラムを記録した記録媒体が提供される。
【００５３】
前記データを受信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００５４】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【００５５】
本発明の好ましいまた他の一実施形態によれば、データを送信する送信ノード（ｎｏｄｅ）、前記データを受信する受信ノードおよび前記受信ノードが前記データを送信する第３ノードを含むネットワークで前記送信ノードで遂行されうるセッション設定方法を具現するためのプログラムを記録した記録媒体であって、前記受信ノードと初期セッション（ｓｅｓｓｉｏｎ）を設定するステップ；前記受信ノードから前記第３ノードへの送信速度を利用して前記データを受信するための追加セッションの数を演算するステップ；および前記演算された追加セッションの数だけ追加セッションを設定するステップ；を含むセッション設定方法を具現するためのプログラムを記録した記録媒体が提供される。
【００５６】
前記データを受信するための追加セッションの数を演算することは、前記受信ノードおよび前記第３ノードの利用可能な送受信帯域幅、送受信品質および前記データの属性情報のうちの少なくとも一つをさらに利用して遂行されうる。
【００５７】
前記受信ノードは複数の送信ノードから前記データを受信し、前記データを受信するための追加セッションの数を演算することは、前記複数の送信ノードと前記受信ノードとの間のデータ伝送情報をさらに利用して遂行されうる。
【発明の効果】
【００５８】
以上で説明したとおり、本発明によるセッション設定方法およびこれを用いたデータ送受信方法によれば、通信網の構成がますます複雑になることによって多様で複雑な通信網の状態をセッション設定に反映できる長所がある。
【００５９】
また、より効果的に通信網の状態に応じたセッション設定が可能で、より効果的にデータの送受信がなされる長所がある。
【図面の簡単な説明】
【００６０】
【図１】本発明の好ましい一実施形態に係るセッション設定方法およびこれを用いたデータ送受信方法が遂行されうるネットワークシステムの構成を例示した例示図である。
【図２】本発明の好ましい一実施形態に係るセッション設定方法およびこれを用いたデータ送受信方法が遂行されうるネットワークシステムのまた他の構成を例示した例示図である。
【図３】本発明の好ましい一実施形態に係るセッション設定方法を用いたデータ送受信方法がなされる順序を示す図面である。
【図４】本発明の好ましい一実施形態に係るセッション設定方法を用いるデータ送受信装置の構成を例示した図面である。
【発明を実施するための形態】
【００６１】
本発明は、多様な変更を加えることができ、色々な実施形態を有しうるところ、以下、特定の実施形態を図面に例示し、詳細な説明に詳細に説明する。しかし、これは本発明を特定の実施形態に対して限定しようとするものではなく、本発明の思想および技術範囲に含まれるすべての変更、均等物ないし代替物を含むものと理解されなければならない。
【００６２】
各図面を説明しながら、類似する参照符号を類似する構成要素に対して用いた。本発明を説明するにおいて、関連した公知技術に関する具体的な説明が本発明の要旨を曇らしうると判断される場合、その詳細な説明を省略する。
【００６３】
第１、第２などの用語は多様な構成要素を説明するのに用いられるが、前記構成要素は前記用語によって限定されてはならない。前記用語は一つの構成要素を他の構成要素から区別する目的にだけ用いられる。
【００６４】
例えば、本発明の権利範囲から外れず、かつ第１構成要素は第２構成要素と命名されることができ、類似して第２構成要素も第１構成要素と命名されることができる。
【００６５】
および／またはという用語は、複数の関連した記載の項目の組み合わせまたは複数の関連した記載の項目のうちのいずれかの項目を含む。
【００６６】
ある構成要素が他の構成要素に“連結して”いるとか“接続して”いると言及された時には、その他の構成要素に直接的に連結しているか、または接続していることもあるが、中間に他の構成要素が存在することもあると理解されなければならない。
【００６７】
反面、ある構成要素が他の構成要素に“直接連結して”いるとか“直接接続して”いると言及された時には、中間に他の構成要素が存在しないものと理解されなければならない。
【００６８】
本出願で用いた用語は単に特定の実施形態を説明するために用いられたものであり、本発明を限定しようとする意図ではない。
【００６９】
単数の表現は文脈上明白に異なって意味しない限り、複数の表現を含む。本出願で、“含む”または“有する”等の用語は明細書上に記載された特徴、数字、ステップ、動作、構成要素、部品またはこれらを組み合わせたものが存在することを指定しようとするものであって、一つまたはそれ以上の他の特徴や数字、ステップ、動作、構成要素、部品またはこれらを組み合わせたものの存在または付加の可能性をあらかじめ排除しないものと理解されなければならない。
【００７０】
異なって定義されない限り、技術的であるか科学的な用語を含み、ここで用いられるすべての用語は本発明の属する技術分野における通常の知識を有する者によって一般的に理解されるものと同一の意味を有している。
【００７１】
一般的に用いられる辞書に定義されているような用語は、関連技術の文脈上有する意味と一致する意味を持つと解釈されるべきであり、本出願で明白に定義しない限り、理想的であるか、または過度に形式的な意味に解釈されない。
【００７２】
以下、添付された図面を参照して、本発明に係る好ましい実施形態を詳細に説明するが、図面符号に関係なく同一であるか、または対応する構成要素は同一の参照番号を付与して、これに関する重複する説明は省略することにする。
【００７３】
先ず、図１と図２を参照して、本発明の好ましい一実施形態に係るセッション設定方法およびこれを用いたデータ送受信方法が遂行されうるネットワークシステムの構成について検討してみることにする。
【００７４】
図１と図２は本発明の好ましい一実施形態に係るセッション設定方法およびこれを用いたデータ送受信方法が遂行されうるネットワークシステムの構成を例示した例示図である。
【００７５】
図１と図２に示すように、ネットワークシステムはネットワークを構成するそれぞれの構成要素、すなわち装置のノード（１００ａ、１００ｂ、１００ｃ、…）で構成される。
【００７６】
一方、図１の例示で、それぞれのノード（１００ａ、１００ｂ、１００ｃ、…）間の連結で、例えば、ノード１  １００ａとノード２  １００ｂの連結とノード２  １００ｂとノード３  １００ｃの連結など、それぞれのノード間のネットワーク状態は各々いずれも異なりうる。
【００７７】
例えば、ノード１  １００ａとノード２  １００ｂとの間の連結は代表的な公衆通信網であるインターネットを通した連結でありえ、ノード２  １００ｂとノード３  １００ｃとの間の連結は専用網を通した連結でありうる。
【００７８】
そして、もしノード１  １００ａとノード２  １００ｂとの間の連結とノード２  １００ｂとノード３  １００ｃとの間の連結がいずれもインターネットを通した連結であるとしても、回線の種類やノードの性能、ノード間でやり取りするデータの量などに応じてノード間のデータの送信速度、すなわちデータ送受信速度は変わるようになる。
【００７９】
また、地理的にもノード１  １００ａとノード２  １００ｂとの間は地理的に近い地域に位置するが、ノード２  １００ｂとノード３  １００ｃとの間は地理的に遠隔に位置しうる。
【００８０】
そしてノードの種類もまた、例えば、それぞれのノードがデータを提供するサーバであったり、データを受信するクライアントまたは中間でデータの送受信を通してデータの送信を中継するルータやスイッチなどの中間装置など、多様でありうる。
【００８１】
一方、以下の説明では説明の便宜のために図１の例示を中心にデータを送信する送信ノードを第１ノード１００ａと、データ受信して第３ノード１００ｃに再び送信するノードを第２ノード１００ｂと、そして第２ノード１００ｂからデータを受信するノードを第３ノード１００ｃと仮定して、説明することにする。
【００８２】
従来のこのようなノード間のセッション設定方法は、上述したとおりノード間にあらかじめ設定されたセッションの数、例えば、一つまたはあらかじめ設定された複数のセッションだけを設定して、データを送受信する場合が大部分であった。
【００８３】
しかし、このような従来のセッション設定方法は、ネットワーク資源を浪費したり効果的にデータの送信がなされなくなる。
【００８４】
例えば、データの大きさが小さいデータを送信する場合であるにもかかわらず、複数のセッションを設定してデータを送信する場合、ネットワーク資源を浪費することになって、もしデータの大きさが大きいデータを送信する場合であるにもかかわらず、一つのセッションを設定してデータを送信する場合であれば、データの効率的な送信がなされなくなる。
【００８５】
また、受信されたデータを他のノードである第３ノード１００ｃに速かに送信しなければならない必要がない場合であるにもかかわらず、送信ノード１００ａと受信ノード１００ｂとの間に複数のセッションを設定してデータを送信する場合、ネットワーク資源を浪費することになって、もし受信されたデータを第３ノード１００ｃに速かに送信しなければならない必要がある場合であるにもかかわらず、一つのセッションだけを設定して、データを送信する場合であれば、データの効率的な送信がなされなくなる。
【００８６】
特に、図２のようにネットワークと構成がより一層複雑になればなるほど、あらかじめ設定されたセッション数に応じてデータを送受信することは非効率的になる。
【００８７】
本発明ではこのような従来のセッション設定の問題点を解決するために、データの属性情報および受信したデータを再び送信するノードの状況などを考慮して、ノードとノードとの間のセッション数を可変的に決定して、決定されたセッション数に応じて追加的にセッションを設定して、データを送受信するようにし、より効率的なデータの送信がなされるようにする。
【００８８】
以下では図３を参照して、本発明の好ましい一実施形態に係るセッション設定方法およびこれを用いたデータ送受信方法について詳細に説明する。
【００８９】
図３は、本発明の好ましい一実施形態に係るセッション設定方法を用いたデータ送受信方法がなされる順序を示す図面である。
【００９０】
図３に示すように本発明の好ましい一実施形態に係るセッション設定方法を用いたデータ送受信方法は、先ず、データを送信する送信ノード１００ａとデータを受信する受信ノード１００ｂとの間に初期セッションを設定する（Ｓ２００）。
【００９１】
そして設定された初期セッションを通してヘッダを含む受信するデータの一部を受信する（Ｓ２０２）。
【００９２】
一方、受信されたヘッダには、受信ノード１００ｂが受信するデータの属性情報を含みうる。
【００９３】
受信するデータの属性情報、例えば、データの大きさ、イメージデータなのか、動画データなのかなどのデータ種類情報、または映画データなのか、教育データなのかなどのデータ分類情報、そしてストリーム方式なのかダウンロード方式なのかなどのデータのサービス方法などのデータと関連した多様な情報であるデータ属性情報を含みうる。
【００９４】
このようなデータ属性情報は、データのヘッダ部分に保存されるのが一般的であるため、図３ではデータの一部のうち、ヘッダを受信するもので示したが、データ属性情報がヘッダに含まれない場合、初期セッションを通してヘッダではないデータの属性情報だけを先に受信することも可能であることは自明である。
【００９５】
一方、初期セッションを通して送信されるデータの一部をパケットに分割する方法としては、全体のコンテンツファイルをファイルアドレス（ａｄｄｒｅｓｓ）を基準に一定のオフセット（ｏｆｆｓｅｔ）だけファイルアドレスを分割する方法が可能であるが、これに限定されるものではない。
【００９６】
そして、送信するデータがストリーミングメディアデータのようなデータの場合、一度にすべてのデータが送信されるものではないので、すべてのデータを一度に送信しなくても良いこともある。
【００９７】
また、ストリーミングメディアデータのようなデータの場合、エンドユーザー（ｅｎｄ  ｕｓｅｒ）が要請したコンテンツを、要請した時から最初の再生がどれくらい速くできるかは大変重要なサービス性能評価要素でありうる。すなわち、初めて再生される速度が速ければ、ユーザの体感満足度は高いと判断されうるためである。
【００９８】
そして、エンドユーザーがストリーミングメディアデータの初期再生領域を見ながら、コンテンツを続けて利用するか否かを決める頻度が非常に高い。
【００９９】
したがって本発明ではエンドユーザーが続けて利用することに決める場合、追加セッション設定過程を通して、まだ送信していないコンテンツの残りの部分に対するデータをユーザに送信するようにして、これとは異なって、エンドユーザーが続けて利用せず利用を終了すれば、初期セッションを終結して追加的なセッションを設定しないようにすることも可能である。
【０１００】
また、初期セッションを通してより多くのデータの送信がなされるようにし、エンドユーザーの送信速度に対する体感速度を高めることも可能である。
【０１０１】
例えば、初期セッションに広帯域を割り当てたり、またはより一層優れた圧縮技法などを使ったり、より一層優れた暗号化技法を使って初期送信されるデータの量を増加させることによって、より効果的なデータ送信がなされるようにすることができる。
【０１０２】
そして、追加セッションを決めるにおいてエンドユーザーの状況を反映する場合、不要なセッション設定とデータの送信などを防止することができ、より一層効果的にネットワーク資源を節約できるようになる。
【０１０３】
そして、受信ノードが一つのデータを分割して、複数のノードから分割されたデータの一部を各々受信する場合、複数のノードから受信されるデータの伝送速度、分割されたデータの部分に関する情報、データ伝送帯域幅情報など、現在伝送中のデータの伝送と関連したすべての情報であるデータ伝送情報をさらに考慮して、追加セッションの数を決めることも可能である。
【０１０４】
一方、このようなデータの一部が初期セッションを通して受信されれば、受信されたヘッダに含まれた受信ノード１００ｂが受信するデータの属性情報に応じて追加的に設定するセッション数を演算して決める（Ｓ２０４）。
【０１０５】
データの属性情報のうちデータの大きさ情報を用いる場合を例示して、追加的に設定するセッション数を演算して決めることを検討してみる。
【０１０６】
例えば、１００ＭＢの全体データを送信しなければならず、送信ノード１００ａと受信ノード１００ｂとの間には１０ＭＢの帯域幅（ｂａｎｄｗｉｄｔｈ）を設定できる場合、初期セッションを通して１０ＭＢのデータが受信されたので、残りの９０ＭＢのデータを受信するために追加的に１０ＭＢ帯域幅を有するセッションを８個にさらに設定して、一度に残りの９０ＭＢのデータを受信するように設定することができる。
【０１０７】
もちろんこのような追加されるセッションの数はノードユーザの設定やノード間の帯域幅などを考慮して設定されうる。
【０１０８】
また、それぞれのセッションごとに設定される帯域幅も異に設定し、残りのデータを受信するようにすることが可能である。
【０１０９】
そしてノード間のデータの送受信品質情報に応じて追加的なセッションの数を決めることも可能である。
【０１１０】
データの送受信品質情報は、データの送受信速度だけでなくノード間のネットワークの障害程度、ネットワークの障害克服時間、トラフィック（ｔｒａｆｆｉｃ）、ＱｏＳ（Ｑｕａｌｉｔｙ  ｏｆ  Ｓｅｒｖｉｃｅ）等のデータ送受信の程度を評価できる多様な情報が可能である。
【０１１１】
一方、図３では図示していないが、追加的に設定するセッション数を演算して決めるのはデータの属性情報だけでなく受信ノード１００ｂが再び受信したデータを送信するノード１００ｃ（以下説明の便宜のために第３ノードという）への伝送速度を考慮して決定されうる。
【０１１２】
上述のとおり、受信ノード１００ｂが受信されたデータを再び第３ノード１００ｃに送信しなければならない場合、送信ノード１００ａと受信ノード１００ｂとの間だけでデータ送信が速かになされる場合でも、受信ノード１００ｂが第３ノード１００ｃにデータを速かに送信できなければネットワーク上で実際のデータの送信が速かになされないことになる。
【０１１３】
例えば、第１ノード１００ａがサーバで、第３ノード１００ｃはクライアントであり、第２ノード１００ｂはデータをリレーしてくれるサーバであると仮定すると、たとえ第１ノード１００ａから第２ノード１００ｂへのデータ送信は速かになされたとしても、実際、エンドユーザーであるクライアントでのデータ受信が遅くなされる場合は、データを速かに送信する目的を達成できなくなる。
【０１１４】
したがって、第１ノード１００ａと第２ノード１００ｂとの間の追加セッション数を決めるにおいて、第２ノード１００ｂと第３ノード１００ｃとの間の送信速度をさらに考慮するようにすることによって、第１ノード１００ａと第２ノード１００ｂとの間のデータの送信がより速かになされるようになるのである。
【０１１５】
一方、第１ノード１００ａと第２ノード１００ｂとの間の追加セッション数を決めるにおいて、第２ノード１００ｂと第３ノード１００ｃとの間の送信速度だけでなく第１ノード１００ａと第２ノード１００ｂとの間のように第２ノード１００ｂから第３ノード１００ｃに送信するデータの属性情報と第２ノード１００ｂと第３ノード１００ｃとの間の帯域幅そして第２ノード１００ｂと第３ノード１００ｃとの間の送信品質などをさらに考慮して、第１ノード１００ａと第２ノード１００ｂとの間の追加セッション数を決めることができる。
【０１１６】
それだけでなく、図２に示すように、ノード３  １００ｃまたはノード５  １００ｅのように一つのノードが複数のノードと連結して、それぞれのノードから同一のデータを各々分けて、他の部分を受信する場合であれば、データを受信する複数のノードからの受信速度や帯域幅などを考慮して、追加セッション数を決めることができる。
【０１１７】
また、受信ノードから再びデータを伝送するノードの数が複数の場合にも、複数それぞれのノードへの伝送速度とネットワーク状況などを考慮して、追加セッション数を決めることも可能である。
【０１１８】
一方、このような送信ノード１００ａと受信ノード１００ｂとの間の追加セッション数が決定されれば、追加セッションを設定し、設定された追加セッションを通して残りのデータを受信する（Ｓ２０６）。
【０１１９】
一方、設定される追加セッションは、ネットワーク状況に応じて多様な帯域幅や伝送速度を有するようにセッションを設定することが可能である。
【０１２０】
例えば、上述のとおり初期セッションを通して多くのデータを伝送する場合、追加セッションの場合、初期セッションの帯域幅より帯域幅を小さくして残りのデータを伝送するようにすることが可能である。
【０１２１】
また、追加セッションそれぞれの帯域幅を異にしてデータを伝送したり、帯域幅を大きく割り当てられなかったが、ネットワーク状況に応じてより多くの帯域幅を割り当てるなど、帯域幅を可変的に割り当てることも可能である。
【０１２２】
一方、上述の説明では受信ノード１００ｂを中心に説明したが、一方、送信ノード１００ａは受信ノード１００ｂから演算された追加セッション数の情報を受信して受信された追加セッション数の情報に応じて受信ノード１００ｂとの追加セッションを設定することができる。
【０１２３】
そして、受信ノード１００ｂで追加セッションの数の演算を遂行するのではなく送信ノード１００ａで遂行して、送信ノード１００ａと受信ノード１００ｂとの間の通信を通して追加セッションを設定するようにすることも可能である。
【０１２４】
この場合、送信ノード１００ａでも送信するデータの大きさ情報を利用して追加セッションの数を演算することができ、データの属性情報およびデータの送信帯域幅、送受信品質情報などをさらに利用して演算することができる。
【０１２５】
そして、受信ノード１００ｂと第３ノード１００ｃとの間の送信速度およびデータの送信帯域幅、送信品質情報などをさらに利用して演算する場合、受信ノード１００ｂから受信ノード１００ｂと第３ノード１００ｃとの間の送信速度およびデータの送信帯域幅、送受信品質情報などを初期セッションを通して受信することができる。
【０１２６】
このような本発明によるセッション設定方法およびこれを用いたデータ送信方法はプログラムで具現され、コンピュータで読み取り可能な記録媒体（シーディーロム、ラム、ロム、フロッピー（登録商標）ディスク、ハードディスク、光磁気ディスクなど）に保存することができる。
【０１２７】
以下では、図４を参照して本発明の好ましい一実施形態に係るセッション設定方法を用いるデータ送受信装置の構成を検討してみることにする。
【０１２８】
図４は、本発明の好ましい一実施形態に係るセッション設定方法を用いるデータ送受信装置の構成を例示した図面である。
【０１２９】
図４に示すように、本発明の好ましい一実施形態に係るセッション設定方法を用いるデータ送受信装置、すなわちノードは、セッション設定部３００、追加セッション演算部３１０、データ送受信部３２０を含みうる。
【０１３０】
セッション設定部３００はデータを送信する送信ノード１００ａと受信ノード１００ｂとの間のセッションを設定する。
【０１３１】
セッション設定部３００によって設定されるセッションを初期セッションだけでなく初期セッションの設定後、追加セッション演算部３１０によって演算される追加セッションの数に応じて追加的に設定される追加セッションも設定する。
【０１３２】
追加セッション演算部３１０は追加的に設定される追加セッションの数を演算する。
【０１３３】
追加セッションの数は上述したとおり送信するデータの属性情報を利用して演算されうる。
【０１３４】
それだけでなく、受信ノードから第３ノードへのデータ伝送速度を考慮して演算される。
【０１３５】
そしてデータの属性、送信ノード１００ａと受信ノード１００ｂの帯域幅、送信品質、そしてデータを再び受信する第３ノード１００ｃと受信ノード１００ｂとの間の送信速度などを追加的に考慮して演算されうる。
【０１３６】
データ送受信部３２０は初期セッションと追加セッションを通してデータを送受信する。
【０１３７】
一方、図４ではデータを送受信する装置のノードを中心に本発明を説明したが、追加セッションの数を演算する追加セッション演算部３１０だけを別途の装置で構成して、ノードとの連結を通して追加セッションを設定するようにすることも可能である。
【０１３８】
また、本発明によるセッション設定方法が具現されたプログラムがデータを送信するか、または受信するデジタル装置に設置された形態で具現されうることは自明である。
【０１３９】
上述の本発明の好ましい実施形態は、例示の目的のために開示されたものであり、本発明に対して通常の知識を有する当業者ならば、本発明の思想と範囲内で多様な修正、変更、付加が可能なものであり、このような修正、変更および付加は下記の特許請求の範囲に属するものと見なければならないだろう。
【図１】
2013504923.tif 000003
【図２】
2013504923.tif 000004
【図３】
2013504923.tif 000005
【図４】
2013504923.tif 000006
【国際調査報告】
2013504923.tif 000007
2013504923.tif 000008
2013504923.tif 000009
2013504923.tif 000010